(57)【要約】  本発明は、色見本の色情報を示すための色見本装置であって、前記色見本を保持する基材要素と；少なくとも１つの表示表面を有する色見本であって、ここで前記表示表面は、前記色見本の色を表示し、かつ前記基材要素に接続及び配置される、色見本と；色情報データを含むデータストレージ装置であって、ここで前記色情報データは、機械による読み取りが可能であり、且つ、本発明のデータ処理装置によるデータストレージ装置からの色情報データの無線読み取りのために構成されている、データストレージ装置と；を有する、装置に関する。本発明はまた、製造方法及び前記データ処理装置に関する。【選択図】図１ｂ
2018523818.tif 000002
【特許請求の範囲】
【請求項１】
色見本の色情報を示すための色見本装置（１、１’、１’’、１’’’）であって、
前記色見本を保持する基材要素（２、２’、２’’、２’’’）と、
少なくとも１つの表示表面を有する色見本（４、４’、４’’、４ａ、４ｂ、４ｃ）であって、ここで前記表示表面は、前記色見本の色を表示し、かつ前記基材要素に接続及び配置される、色見本と、
色情報データを含むデータストレージ装置（３、３’、３’’、３ａ、３ｂ、３ｃ）であって、ここで前記色情報データは、機械による読み取りが可能であり、且つ、請求項７に記載のデータ処理装置（１０）による前記データストレージ装置からの前記色情報データの無線読み取りのために構成されている、データストレージ装置と、
を有する、装置。
【請求項２】
受動型の装置であり、即ち、前記色見本装置が、電源、特に電池を有していない、請求項１に記載の色見本装置。
【請求項３】
前記データストレージ装置は、電磁場を使用する無線データ抽出のために構成されており、前記電磁場を使用する前記データ抽出の最大距離は、５ｃｍ〜３０ｃｍの範囲から取得された値に限定される、請求項１又は２に記載の色見本装置。
【請求項４】
前記データストレージ装置は、ＲＦＩＤトランスポンダを含み、或いは、ＲＦＩＤトランスポンダであり、或いは、バーコードを含む、請求項１〜３のいずれか１項に記載の色見本装置。
【請求項５】
前記ＲＦＩＤトランスポンダは、受動型のＲＦＩＤトランスポンダである、請求項３に記載の色見本装置。
【請求項６】
前記データストレージ装置は、ＮＦＣトランスポンダを含む、或いは、ＮＦＣトランスポンダである、請求項３に記載の色見本装置。
【請求項７】
前記色見本装置は、１つ超の、特に、２つ又は複数の基材要素を含み、ここで、それぞれの基材要素は、少なくとも１つの色見本、及び／又は、前記個々の色見本の色情報データを含む少なくとも１つのデータストレージ装置を保持する、請求項１〜６のいずれか１項に記載の色見本装置。
【請求項８】
データ通信装置を含む、データ処理装置であって、
請求項１に記載の色見本装置のデータストレージ装置から前記色情報データを読み取るように構成された、データ処理装置。
【請求項９】
前記データ通信装置は、ＮＦＣ読取器である、請求項７に記載のデータ処理装置。
【請求項１０】
マイクロプロセッサ又はコンピュータとディスプレイとを含み、ここで前記マイクロプロセッサ又はコンピュータは、請求項１に記載の色見本装置が前記データ通信装置のデータ抽出の前記最大距離内に配置された際に、請求項１に記載の色見本装置の前記データストレージ装置内に含まれる前記色情報データを自動的に表示するように構成されている、請求項７又は８に記載のデータ処理装置。
【請求項１１】
請求項１に記載の少なくとも１つの色見本装置と、
請求項７に記載の少なくとも１つのデータ処理装置と、
を含む、色見本装置のデータストレージ装置内に含まれる色情報データを読み取るためのシステム。
【請求項１２】
プログラムコードを含むデータストレージ媒体であって、
前記プログラムコードが請求項７に記載のデータ処理装置上において実行された際に、前記データ処理装置に、請求項１に記載の色見本装置の前記データストレージ装置から前記色情報データを読み取らせるように構成された、
データストレージ媒体。
【請求項１３】
本発明の前記色見本装置の製造方法であって、
−基材要素と、色見本と、前記色見本の色情報データを含むデータストレージ装置とを提供するステップと、
−前記基材要素、色見本、及びデータストレージ装置を組み立てるステップと、
を含む、方法。
【請求項１４】
色情報データを提供するための、特にカスタム色に関する色情報データを提供するための、請求項１〜６のいずれか１項に記載の色見本装置及び／又は請求項７〜９のいずれか１項に記載のデータ処理装置、又は請求項１０に記載のシステムの使用。
【請求項１５】
材料見本用の色標準を提供するための、請求項１〜６のいずれか１項に記載の色見本装置及び／又は請求項７〜９のいずれか１項に記載のデータ処理装置又は請求項１０に記載のシステムの使用。
【請求項１６】
サプライチェーンにおいてデジタル色の提出及び／又は承認を管理するためにブランド又は小売業者によって使用される、ソフトウェア用の検証キーとしての色見本装置の使用。
【発明の詳細な説明】
【技術分野】
【０００１】
本発明は、色情報を提供するための色見本装置と、その製造の方法と、色見本装置から色情報を読み取るためのデータ処理装置と、に関する。
【背景技術】
【０００２】
現在の色見本装置は、染料に関する視覚情報を提示するべく、染料業界において使用されている。通常、色見本装置は、カードとして形成され、このカードは、通常、色を識別する記述情報との組合せにおいて、表面上において色を示している。また、色見本装置は、色基準チャート又は色選択チャートとして形成することも可能であり、これらのチャートは、ＤＩＣカラーガイド、ＮＣＳパレット、Ｐａｎｔｏｎｅ、又はＲＡＬのような、既知の表色系の複数の色、或いは、場合によっては、多数の色、を提示している。このような表色系は、別個に定義された既知の標準色を提示している。
【０００３】
現在、染料は、顧客のために製造されており、顧客は、既知の標準色を使用するのみならず、高度にカスタマイズされた色標準を益々要求している。色は、小売り及びブランドにおいて重要な差別化要因であり、且つ、個性化 (individualization)及び気付き (awareness)を可能とする。着色された製品は、しばしば、異なる光源におけるマッチングに対する特別な注意と、異なる布地及びブレンドにおける同一色のコーディネーションと、を必要としている。カスタム色の正しい表現は、短期間において、複数の大陸において、カスタム着色された製品の製造を実行するのに重要である。又、既存のカラーライブラリに含まれている色及び既存の色標準の色の場合には、色情報の正しく且つ効率的な表現が望ましい。更には、多くの工業的製造の分野において必要とされる色情報は、複雑である場合がある。例えば、織物産業においては、カラーレシピが、例えば、ポリエステル、ナイロン、綿などのような、様々な基材において異なりうる。本発明者らは、色見本装置上におけるこのような複雑な色情報の効率的な表現が、多くの製造シナリオにおいて、仕事の流れを格段に加速させることを見出した。従って、カスタム色、ライブラリ色、及び標準色に関する情報を確実且つ広範に提示する色見本装置の提供が可能でなければならない。更には、色見本装置の製造費用を引き下げる必要もある。
【発明の概要】
【発明が解決しようとする課題】
【０００４】
使用のために優れており、かつ費用効率に優れた、色見本装置、色見本装置からの読み取りに使用するのに適したデータ処理装置、及び製造の方法を提供することが、本発明の目的である。
【課題を解決するための手段】
【０００５】
本発明は、請求項１の色見本装置、請求項７のデータ処理装置、及び請求項１１の製造方法により、この目的を実現する。本発明の好適な実施形態は、従属請求項の主題であり、具体的には以下の通りである。
【０００６】
本発明による色見本装置は、色見本の色情報を示すために使用され、それは、前記色見本を保持する基材要素と；少なくとも１つの表示表面を有する色見本であって、ここで前記表示表面は、前記色見本の色を表示し、かつ前記基材要素に接続及び配置される、色見本と；色情報データを含むデータストレージ装置であって、ここで前記色情報データは、機械による読み取りが可能であり、且つ、データストレージ装置からの色情報データの無線読み取りのために構成されている、前記基材要素に配置されるデータストレージ装置と；を有する。
【０００７】
データストレージ装置を装備した色見本装置は、色情報が、ユーザーによって視覚的に評価され得るのみならず、機械によっても評価され得るという利点を提供する。従って、適切な別個のデータ処理装置を使用することにより、色情報の取得を確実に実行することができる。又、別個のデータ処理装置は、データ処理装置とも呼称される。データ処理装置は、データストレージ装置から色情報データを読み取るように構成されている。
【０００８】
更には、データストレージ装置を装備した色見本装置は、費用効率に優れた方式によって製造することが可能であり、その理由は、データストレージ装置が、電源を必要とするマイクロプロセッサ又はその他のサブ装置を有する必要がないからである。
【０００９】
好ましくは、データストレージ装置は、データストレージ装置から色情報データを読み取るプロセスが、色見本装置の一部として、或いは、データストレージ装置の一部として、電源を必要としないように、構成されている。また、色見本装置の一部として電源を必要としてはいない色見本装置は、「受動型装置 (passive device)」とも呼称される。好ましくは、色見本装置は、例えば、電池などの電源、或いは、例えば、太陽電池などのエネルギーコンバータを含まない。
【００１０】
色見本装置は、実質的に平らな形状を有することが可能であり、且つ、カード装置であってもよい。色見本装置は、変形可能であってもよく、或いは、個々に、曲がりやすくてもよい。
【００１１】
基材要素は、実質的に平らな形状を有することが可能であり、且つ、カード要素であってもよい。基材要素は、曲がりやすくてもよい。基材要素は、色見本及びデータストレージ装置を保持する基部として機能するのに適した任意の物品であってよい。基材要素は、紙及び／又はボール紙及び／又はプラスチック及び／又は金属から製造することが可能であり、或いは、任意の中実材料から構成することができる。基材要素は、1つ又は複数のプラスチックフォイルによってラミネートされてもよく、当該プラスチックフォイルは、透明であってもよい。また、データストレージ装置が、プラスチックフォイルによってラミネートされる、好ましくは、基材要素に対してラミネートされる、ことも可能であり、且つ、好ましい。プラスチックフォイルは、磨滅及び腐食に対する保護を提供する。
【００１２】
基材要素は、少なくとも１つの開口部及び／又は少なくとも1つの凹部を有することができる。このような開口部又は凹部は、例えば、データストレージ装置などの、色見本装置の別の部分を（部分的に又は全体的に）受けとる又は含むために、使用することができる。これは、よりコンパクトな形状を提供し、且つ、その部分を保護する。更には、低減された量の材料を使用することにより、費用及び重量の低減が得られる。
【００１３】
また、色見本装置の機械的安定性の改善が望ましい場合には、基材要素は、ポリマー、好ましくは、サーモプラストを、且つ／又は、例えば、アルミニウムなどの金属を、有してもよく、或いは、これらから構成されてもよい。
【００１４】
基材要素は、好ましくは、色見本を支持するべく使用され得る基材面を提供している。好ましくは、基材面のサイズは、色見本のサイズと同一か又はそれよりも大きい。
【００１５】
基材要素は、少なくとも２つのカード要素を有する折り畳みカードであってもよく、この場合に、折り畳みカードが折り畳まれた際には、色見本及び／又はデータストレージ装置は、好ましくは、カード要素の間に位置することになる。このような構成は、色見本及び／又はデータストレージ装置を、例えば、光、磨滅、湿度などの、環境から保護する。
【００１６】
また、基材要素は、例えば、棒のような形状などの、実質的に非平面的な形状を有することも可能であり、或いは、直方体であってもよく、或いは、それなりの３次元形状を有する別の物体であってもよい。更には、基材要素は、色見本又はデータストレージ装置によって内蔵することもできる。例えば、平面的な色見本が、表示表面を有すると共にデータストレージ装置をも保持する基材要素として機能してもよい。
【００１７】
色見本は、着色された物品であってもよく、好ましくは着色された平面的な物品であってもよく、この場合に、前記物品は、例えば、ボール紙、プラスチック、又は織物であってもよい。材料見本（ｓｗａｔｃｈ）とは、より大きな織物材料から取得された織物見本である。色見本は、好ましくは、材料見本であり、且つ、この場合には、色見本装置は、色材料見本装置であってもよい。色見本は、好ましくは、特に、色を表すための視覚的な参照標準として機能する、染色された物品の物理的な表現、好ましくは、物理的な色材料見本である。前記色は、好ましくは、ＤＩＣカラーガイド、ＮＣＳパレット、Ｐａｎｔｏｎｅ、又はＲＡＬを含む標準表色系の群には含まれていないカスタム色であり、或いは、好ましくは、このような標準表色系又は任意のその他の既定の且つ既知のカスタム又は商用カラーライブラリに含まれている色である。
【００１８】
データストレージ装置は、好ましくは、接着接続及び／又は圧力嵌め接続及び／又は確動嵌め（ｐｏｓｉｔｉｖｅ  ｆｉｔ）接続により、基材要素に接続されている。又、これは、例えば、ラミネーションフォイル、ピン、ヒンジ部材、クランプなどのような、少なくとも１つの接続要素を使用して基材要素に接続されてもよい。好ましくは、データストレージ装置は、特に、ラミネーションフォイルを使用してラミネーティングされることにより、色見本装置又は基材要素に接続されており、ラミネーションフォイルは、透明であってもよく、或いは、非透明であってもよい。又、データストレージ装置は、色見本装置又は基材要素又は色見本内に、特に、開口部又は凹部内に、内蔵されてもよい。
【００１９】
データストレージ装置は、機械可読情報を保持する、色見本装置の一セクション、特に、基材の一セクション、であってもよい。このような機械可読情報は、人間による読み取りには適しておらず、機械によって読み取られるように構成されている。すべての人間言語及び／又はすべての人間表記体系の印刷されたテキスト或いは数値及び符号は、それぞれ、本特許出願の観点においては、機械可読情報であるものとは理解されない。
【００２０】
機械可読情報は、光学的に読み取り可能且つ／又は電子的に読み取り可能な情報であってもよい。機械可読情報は、バーコードであってもよく、バーコードは、色見本装置、特に、基材の一セクション、の上部において、或いは、色見本装置に接続された、例えば、ラベル又はステッカなどの、任意の要素上において、印刷されてもよい。バーコードは、装着される物体に関係したデータの光学的な機械可読表現である。バーコードは、平行な線の幅及び間隔を変化させることにより、表されてもよく、これは、１次元バーコードである。
【００２１】
また、バーコードは、２次元バーコードであってもよく、特に、矩形、点、六角形、及び２次元のその他の幾何学的なパターンによって表されたデータマトリックスであってもよい。バーコードは、光学スキャナ、即ち、バーコード読取器により、読み取られる能力を有する。データマトリックスコードは、正方形又は矩形のパターンにおいて配列された黒色及び白色「セル」又はモジュールから構成された２次元マトリックスバーコードである。エンコーディング対象の情報は、テキスト又は数値データであってもよい。
【００２２】
色情報は、機械可読情報内において直接的にエンコーディングされてもよく、或いは、リファラ（ｒｅｆｅｒｒｅｒ）が、機械可読情報内においてエンコーディングされてもよく、リファラは、読取装置、特に、本発明によるデータ処理装置、を参照している。このようなリファラは、ＵＲＬにリンクしているコードであってもく、或いは、データ処理装置がローカルなソフトウェアアプリケーションを起動するようにするリファラであってもよい。
【００２３】
データストレージ装置は、有線接続を必要とすることなしに、機械によって読み取ることができる。好ましくは、データストレージ装置は、無線接続により読み取ることができる。また、データストレージ装置からデータを読み取るプロセスは、データ抽出とも呼称される。好ましくは、データストレージ装置は、少なくとも、データ抽出のための構成されており、この場合に、データ転送の方向は、データストレージ装置から別個のデータ処理装置へ、というものである。更には、データストレージ装置は、データ受信のために構成することも可能であり、この場合には、データ転送の方向は、別個のデータ処理装置からデータストレージ装置へ、というものである。データ受信のためにではなく、データ抽出のために構成されることにより、データストレージ装置の特に容易且つ費用効率に優れた実現が可能となる。但し、ある程度の受け入れ可能な費用により、データ抽出のみならず、データ受信をも許容する、現代的なデータストレージ装置を実現することができる。
【００２４】
データストレージ装置は、好ましくは、電磁場を使用したデータ抽出のために構成されている。好ましくは、前記データ抽出は、データストレージ装置上に存在している情報の光学読み取りを必要としていない。これは、データストレージ装置が光学的に覆われている又は遮断されている際にも、データ抽出を実現しうるという利点を提供する。
【００２５】
有利には、電磁場を使用したデータ抽出の最大距離 (maximum range)は、好ましくは、１０ｃｍ〜２０ｃｍ、好ましくは、５ｃｍ〜３０ｃｍ、好ましくは、５ｃｍ〜２０ｃｍ、好ましくは、３ｃｍ〜２０ｃｍ、好ましくは、１ｃｍ〜２０ｃｍの範囲から取得された値に限定される。これは、色見本装置から色情報データを読み取るように構成された別個のデータ処理装置が、読み取りプロセスを許容するべく、最大距離を超えない状態において、それぞれ、色見本装置又はデータストレージ装置から離隔し得ることを意味している。このような近距離制限を提供することにより、最大距離の外であり、従って、恐らくは、前記データの読み取りが認可されてはいないデータ処理装置による、色情報データの意図しない読み取りが防止される。
【００２６】
更には、近距離制限は、それぞれ、別個のデータ処理装置からの距離に応じて区別され得る複数の色見本装置又はデータストレージ装置の提供をも可能とする。第１色見本装置又はデータストレージ装置は、データ処理装置の最大データ抽出距離内において配置されてもよく、且つ、第２色見本装置又はデータストレージ装置は、最大データ抽出距離の外に配置されてもよく、この結果、データ処理装置は、第１色見本装置又はデータストレージ装置の色情報データを読み取ることはできるが、第２色見本装置又はデータストレージ装置の色情報データを読み取ることはできない。
【００２７】
電磁場を使用したデータ抽出の最小距離は、好ましくは、限定されておらず、これは、好ましくは、色見本装置からの色情報データの読み取りのために構成された別個のデータ処理装置が、それぞれ、色見本装置又はデータストレージ装置との直接的な接触状態にある際にデータ抽出を実行可能である、ことを意味している。また、最小距離は、特に、０ｃｍ〜５ｃｍ又は０ｃｍ〜１０ｃｍの範囲から取得された値に限定されてもよい。
【００２８】
好ましくは、データストレージ装置は、データストレージ装置を色見本装置に接続する前に、或いは、データストレージ装置を色見本装置に接続した後に、色情報データがデータストレージ装置に書き込まれ得るように、書き込み可能である。
【００２９】
好ましくは、データストレージ装置は、ＲＦＩＤ（Ｒａｄｉｏ−Ｆｒｅｑｕｅｎｃｙ  ＩＤｅｎｔｉｆｉｃａｔｉｏｎ：高周波識別）トランスポンダを含み、或いは、これから構成されており、このＲＦＩＤトランスポンダは、好ましくは、受動型のＲＦＩＤトランスポンダである。受動型のトランスポンダは、例えば、電池などの電源を必要としてはいないが、能動型のトランスポンダは、電源を含む。ＲＦＩＤトランスポンダは、好ましくは、少なくともデータ抽出の、データ抽出のみの、或いは、データ抽出とデータ受信の両方の、能力を有する。
【００３０】
また、ＲＦＩＤタグは、例えば、国際公開第２００９０８０６０７Ａ２号又は米国特許第８１０６４３０Ｂ２号において付与されている指示に従って、特に、色見本装置に、具体的には、基材要素又は色見本に、印刷されてもよい。
【００３１】
ＲＦＩＤトランスポンダは、国際標準化機構（ＩＳＯ：Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）、国際電気標準会議（ＩＥＣ：Ｉｎｔｅｒｎａｔｉｏｎａｌ  Ｅｌｅｃｔｒｏｔｅｃｈｎｉｃａｌ  Ｃｏｍｍｉｓｉｏｎ）、ＡＳＴＭインターナショナル、ＤＡＳＨ７アライアンス、及びＥＰＣｇｌｏｂａｌの規格を含む、ＲＦＩＤの規格を使用して実装することができる。
【００３２】
データストレージ装置は、好ましくは、電磁場を使用したデータ抽出のために構成されており、この場合に、電磁場は、１２０〜１５０ｋＨｚ（ＬＦ）帯域において機能する。
【００３３】
好ましくは、データストレージ装置は、近距離通信（ＮＦＣ：Ｎｅａｒ  Ｆｉｅｌｄ  Ｃｏｍｍｕｎｉｃａｔｉｏｎ）を使用するように構成されている。近距離通信は、規格に基づいた近距離無線接続技術である。ｗｗｗ．ｎｆｃ−ｆｏｒｕｍ．ｏｒｇというインターネットアドレスにおいて公開されているＮＦＣフォーラムによれば、ＮＦＣは、ＩＳＯ／ＩＥＣ１４４４３Ａ＆Ｂ及びＪＩＳ−Ｘ６３１９−４を含む非接触カード技術の既存の規格における主要な要素を利用することにより、その他の既知の消費者レベルの無線技術を補完している。又、ＮＦＣは、データストレージ装置及び任意の適切な別個のデータ処理装置が、特に、４２４ｋｂｐｓの最大通信速度において、特に、１３．５６Ｍｈｚの周波数において、好ましくは、４センチメートル未満の距離において、情報を共有することを可能にしている。ＮＦＣは、双方向通信能力を有しており、従って、ＮＦＣ用に構成されたデータストレージ装置は、データ抽出及びデータ受信の能力を有する。ＮＦＣは、ＲＦＩＤ技術を使用している。ＮＦＣは、ＩＳＯ１４４４３又はＩＳＯ１５６９３を利用した受動型のＨＦ−ＲＦＩＤ−タグを使用することができる。色情報データは、例えば、ＮＦＣ読取器対応型のコンピュータ、携帯電話機、スマートウォッチなどの、任意のＮＦＣ読取器対応型の別個の装置により、データストレージ装置から抽出することができる。
【００３４】
また、データストレージ装置は、実行可能なプログラムコードが提供され得るプログラム可能な装置であってもよい。実行可能なプログラムコードは、データ保存装置が電源を含む際には、データ保存装置により、能動的に実行されてもよく、或いは、エネルギーの供給源として機能しうる外部電磁場を使用することにより、実行されてよい。
【００３５】
好ましくは、色見本装置は、データストレージ装置から色情報データを読み取る能力を有する別個のデータ処理装置に色情報データを自動的に送信するように、或いは、自動的な読み取りを許容するべくデータ処理装置に対するアクセスを自動的に許容するように、構成されている。この結果、快適且つ効率的な色見本装置の使用が可能となる。また、別個のデータ処理装置による色情報データの読み取りが可能となる前に、色情報データを読み取るプロセスが、例えば、パスワードに基づいた検証などの、セキュリティ保護を含むことも可能であり、且つ、好ましい。セキュリティプロセスは、好ましくは、別個のデータ処理装置によって実装されるが、これに加えて、或いは、この代わりに、色見本装置のデータストレージ装置によって実装されてもよい。このようなセキュリティ機能は、認可されていないアクセスからの色情報データの保護を許容する。
【００３６】
色見本装置が、複数の、具体的には、２つの又は多数の基材要素を有することが可能であり、且つ、好ましく、この場合に、それぞれの基材要素は、色見本、並びに／或いは、個々の色見本の色情報データを含むデータストレージ装置を保持している。このような色見本装置は、好ましくは、複数の基材要素を相互に接続するための接続装置を有する。接続装置は、例えば、螺旋綴じ又はヒンジなどの、相互の関係における基材要素の回転を許容するバインダを含むことができる。
【００３７】
基材要素が複数のデータストレージ装置及び複数の対応する色見本を保持することが可能であり、且つ、好ましい。このような基材要素は、例えば、プラスチックシート又はボール紙などの、平らな、恐らくは、曲がりやすい基材であってもよい。
【００３８】
特に、色見本装置が色材料見本装置であり、且つ、色見本が、染色された織物を含む際には、色情報データは、個々の品質制御データ（ｄＥ及びその他の測色データ）、使用権限、材料見本の有効期限、技術サポートの連絡先、顧客名／購入日付などの発注情報、対応するＣＭＹＫ／ＲＧＢ色値、代替基材に関する予想染料配合、推奨染色手順、推奨化学補助剤（ｃｅｍｉｃａｌ  ａｕｘｉｌｉａｒｙ）を含む、情報要素のうちの１つ又は複数に関する情報を含むことができる。
【００３９】
また、色情報データは、リファラ、特に、リンク情報を含んでいてもよく、この情報は、例えば、色見本に固有のアドレス、特に、例えば、ＵＲＬ（Ｕｎｉｆｏｒｍ  Ｒｅｓｏｕｒｃｅ  Ｌｏｃａｔｏｒ：ＲＦＣ１７３８という公開情報を参照されたい）などのネットワークアドレスを提供することにより、色見本の更に詳細な色情報データを自動的に取得する方法に関するデータ処理装置用の指示を含むことができる。但し、望ましい色情報を受信するためにリンク情報を評価する必要がないように、色情報データが、すべての関連する色情報を含むことが、特に、リンク情報を上回る情報を含むことが好ましい。リファラは、読取装置、特に、本発明のデータ処理装置が、データ処理装置のデータストレージ装置内において保存されうるローカルなソフトウェアアプリケーションを起動するようにするべく、構成されていてもよい。ローカルなソフトウェアアプリケーションは、例えば、ユーザーの認可状態に応じて、色情報をユーザーに対して供給又は提示するように構成されていてもよく、ユーザーの認可状態は、データ処理装置内において保存されている情報データベースを使用してデータ処理装置によって評価されてもよく、或いは、例えば、インターネットなどの、ローカル又はグローバルなネットワークを介して、データ処理装置によってアクセスされてもよい。
【００４０】
現在、色標準とも呼称されている、設計色標準（ＥＣＳ：Ｅｎｇｉｎｅｅｒｅｄ  Ｃｏｌｏｒ  Ｓｔａｎｄａｒｄ）は、特に、特性パラメータの組により、標準化照明下の既定の基材について明確に定義されたカスタム色である。更には、既存のカラーライブラリによる、或いは、標準表色系による、色も、特に、特性パラメータの組により、標準化照明下の既定の基材について、明確に定義されている。
【００４１】
また、データストレージ装置も、例えば、バーコード、ＱＲコード（登録商標）、又はデータマトリックスなどの、例えば、光学的に読み取り可能なコードパターンを提供する表面などの、光学的に読み取り可能な装置となるように、構成することができる。色情報データは、例えば、コードパターン内などのように、光学的に読み取り可能な装置内において、直接的に含まれていてもよく、或いは、光学的に読み取り可能な装置内に含まれている既定のリンク情報を使用することにより、間接的に（但し、好ましくは、自動的に）取得可能であってもよい。例えば、リンク情報は、例えば、色見本に固有のアドレス、特に、例えば、ＵＲＬ（Ｕｎｉｆｏｒｍ  Ｒｅｓｏｕｒｃｅ  Ｌｏｃａｔｏｒ：ＲＦＣ１７３８という公開情報を参照されたい）などの、ネットワークアドレスを提供するなどのように、色見本の色情報データを自動的に取得する方法についてのデータ処理装置用の指示を含むことができる。
【００４２】
また、本発明は、本発明に従って色見本装置のデータストレージ装置から色情報データを読み取るように構成されたデータ処理装置にも関する。例えば、データ処理装置は、マイクロプロセッサ又はコンピュータと、本発明に従って色見本装置のデータストレージから色情報データを読み取るように構成されたデータ通信装置と、を含むことができる。又、マイクロプロセッサ又はコンピュータは、プログラムコードを含んでいてもよく、プログラムコードは、プログラムコードがマイクロプロセッサ又はコンピュータ上において実行された際に、データ処理装置が、本発明に従って、色見本装置のデータストレージ装置から色情報データを読み取るようにするべく、構成されている。
【００４３】
好適な一実施形態においては、データ処理装置は、表示装置を有し、且つ、色情報データが本発明に従って色見本装置から読み取られた際に、色情報データを自動的に表示するように、構成されている。好ましくは、データ処理装置は、本発明による色見本装置がデータ処理装置のデータ抽出の最大距離内に配置された際に、色情報データを自動的に表示するように、構成されている。これは、データ処理装置上において実行され、且つ、これにより、本発明による色見本装置がデータ処理装置のデータ抽出の最大距離内に配置された際に色情報データを自動的に表示する、適切なプログラムコードを使用することにより、実現することができる。
【００４４】
また、本発明は、プログラムコード、或いは、プログラムコードを含むデータストレージ媒体、にも関し、プログラムコードは、プログラムコードがデータ処理装置上において実行された際に、データ処理装置が本発明に従って色見本装置のデータストレージ装置から色情報データを読み取るようにするべく、構成されている。
【００４５】
また、本発明は、本発明による少なくとも１つの色見本装置及び本発明による少なくとも１つのデータ処理装置を含む、少なくとも１つの色見本に関する色情報を提供するシステムにも関する。
【００４６】
また、本発明は、本発明による色見本装置の製造の方法にも関し、この場合に、方法は、基材要素と、色見本と、色見本の色情報データを含むデータストレージ装置とを提供するステップと、基材要素、色見本、及びデータストレージ装置を組み立てるステップ、特に、好ましくは、接着及び／又はラミネーション及び／又は確動嵌め及び／又は圧力嵌め接続により、基材要素とデータストレージ装置の間において接続を確立するステップと、を有する。色情報データは、色見本装置の前記コンポーネントの組立の前に、最中に、又は後に、転送されてもよく、且つ、データストレージ装置内において保存されてもよい。一実施形態においては、色見本の色情報データは、まず、任意のサーバーに基づいたデータベースから色情報データを取得し、且つ、恐らくは、次いで、ピックリスト上において配置された、バーコード、特に、データマトリックスコード、の上部において色情報データを記録し、且つ、恐らくは、次いで、バーコード読取器を使用してバーコードから色情報データを読み取り、且つ、恐らくは、次いで、色情報データを転送し、且つ／又は、例えば、ＮＦＣなどの、データストレージ装置上において保存することにより、データストレージ装置に転送される。
【００４７】
本発明による別の態様は、サブライチェーン内において、デジタル色の提出及び／又は承認を管理するべく、ブランド又は小売業者によって使用されるソフトウェア用の検証キーとしての色見本装置の使用である。
【００４８】
本発明による別の態様は、色配合ソフトウェア用の検証キーとしての色見本装置の使用である。色配合ソフトウェアは、通常、織物、ペンキ、プラスチック、又は被覆業界において製品用の色の配合又はレシピを生成するべく、使用されている。
【００４９】
本発明による別の態様は、色品質制御ソフトウェア用の検証キーとしての色見本装置の使用である。通常、色品質制御ソフトウェアは、測色値及び色差の正確な計測を可能にしている。
【００５０】
本発明による別の態様は、ＣＡＤ又はその他の設計ソフトウェアにおいて使用される測色データの入力供給源としての色見本装置の使用である。
【００５１】
本発明の更なる実施形態、特徴、及び用途については、以下の実施形態に関する説明から、並びに、添付図面から、明らかとなろう。
【図面の簡単な説明】
【００５２】
【図１ａ】本発明の一実施形態による色見本装置の概略的に図示されたコンポーネントの分解図を示す。
【図１ｂ】図１ａに示されている本発明の実施形態による組立済みの色見本装置を示す。
【図１ｃ】図１ｂに示されている本発明の実施形態による組立済みの色見本装置を示しており、この場合には、基材要素が覆われている。
【図２ａ】本発明の別の実施形態による色見本装置を示す。
【図２ｂ】本発明の別の実施形態による色見本装置を示す。
【図３】本発明による第１色見本装置、本発明による第２色見本装置、及び本発明によるデータ処理装置を含む、本発明によるシステムを示す。
【図４】本発明の一実施形態による色見本装置を製造する、本発明の一実施形態による例示用の方法を示す。
【発明を実施するための形態】
【００５３】
図１ａは、色見本装置１の分解された状態を示している。色見本装置１は、本発明の観点における色材料見本装置であり、その理由は、色見本４が、材料見本である、即ち、染色された織物見本である、からである。材料見本は、より大きな織物の断片から切り出されたものであり、この場合には、矩形の形状を有する。この材料見本は、織物見本の場合には一般にそうであるように、変形可能である。データストレージ装置３は、受動型のＲＦＩＤトランスポンダであり、且つ、更に詳しくは、本実施形態においては、ＮＦＣタグである。このようなトランスポンダは、通常、半導体に基づいたマイクロチップ（図示されてはいない）と、マイクロチップに接続されたアンテナ（図示されてはいない）と、を有する。データストレージ装置３は、色見本４と関係する色情報データを含む。
【００５４】
色情報データは、以下の情報を含んでいる。
・個々のＥＣＳ品質制御データ（ｄＥ及びその他の測色データ）
・ＥＣＳ有効期限
・色情報データを使用している会社が使用権限を合法的に購入したことを保証するミル購入検証
・代替基材における予想染料配合
・推奨染色手順
・推奨化学補助剤
・材料見本の有効期限
・技術サポートの連絡先
・顧客名／購入日付などの注文情報
・対応するＣＭＹＫ／ＲＧＢ色値
【００５５】
データストレージ装置３は、機械による読み取りが可能であり、且つ、本発明によるデータ処理装置、特に、図３に示されているデータ処理装置１０、によるデータストレージ装置からの色情報データの無線読み取りのために構成されている。基材要素２が提供されており、これは、この場合には、矩形の形状を有する曲がりやすいボール紙である。この場合には、基材要素２と同一の矩形形状及びサイズを有する曲がりやすいボール紙である、カバー要素６が、この場合には、フィルムヒンジである、ヒンジ５を介して基材要素２に接続されている。カバー要素６は、図１ｂにおいて湾曲した矢印によって示されているように、基材要素２の表面を覆うように、ヒンジ５の軸を中心として回転させることができる。カバー６は、開口部７を有しており、開口部７は、カバー要素６が基材要素を覆っている場合にも、色見本の、露出した、且つ、可視状態にある、表面である、表示表面の視覚検査を許容している。光の可視スペクトルにおいて透明である、透明なフォイル又はプレート（図示されてはいない）が、開口部７を覆うように、提供されてもよい。透明なフォイル又はプレートは、部分的に、或いは、実質的に完全に、ＵＶ光において不透明であってもよく、これにより、カバーが閉じられた際に、染色された色見本の染料の光退色が防止される。トランスポンダ３及び色見本４は、基材要素の表面に接続される必要がある。
【００５６】
図１ｂに示されているように、トランスポンダは、接着剤を使用することにより、且つ／又は、ラミネーションフォイル（図示されていない）を使用することにより、基材要素２に接続されている。材料見本４は、接着剤により、少なくとも、材料見本４のエッジに沿って、或いは、接着剤の１つの、２つの、又はいくつかの、スポットのみにおいて（或いは、好ましくは、これを超えない範囲において）、基材に接続されている。この場合には、材料見本４は、材料見本がデータストレージ装置３を覆うようにように、基材に接続されている。トランスポンダは、読取装置、即ち、データ処理装置１０、と、トランスポンダ３の間における視覚的接続を必要としてはいないことから、基材要素内において、或いは、色見本の下方において、トランスポンダ３を隠蔽することが可能であり、この場合には、色見本の下方において隠蔽されている。
【００５７】
図１ｃに示されている、色見本装置１の覆われた状態においては、色見本装置は、コンパクトであり、材料見本の表示表面は、大部分が可視状態にあり、且つ、データストレージ装置３が覆われてはいるものの、色情報データは、アクセス可能状態にある。
【００５８】
但し、データストレージ装置３も、視覚的に露出していてもよい。これは、図２ａに示されている色見本装置１’の実施形態の場合に当てはまる。この場合には、色見本４’及びデータストレージ装置３’の両方が、基材要素２’の単一の表面に接続されている。
【００５９】
図２ｂには、色見本装置１’’の別の実施形態が示されており、この場合には、複数の―この場合には、３つの―色見本及びデータストレージ装置のペアが、単一の基材２’’に接続されている。データストレージ装置３ａは、基材要素２’’上において、色見本４ａの近傍に配置されており、この場合に、データストレージ装置３ａは、色見本４ａに固有の第１色情報データを含む。データストレージ装置３ｂは、基材要素２’’上において、色見本４ｂの近傍に配置されており、この場合に、データストレージ装置３ｂは、色見本４ｂに固有の第１色情報データを含む。データストレージ装置３ｃは、基材要素２’’上において、色見本４ｃの近傍に配置されており、この場合に、データストレージ装置３ｃは、色見本４ｃに固有の第１色情報データを含む。これらの近傍に位置したデータストレージ装置３ａ、３ｂ、及び３ｃは、データ処理装置１０が、データストレージ装置のうちの１つのデータストレージ装置の前面に配置されることが可能であり、且つ、残りのデータストレージ装置から色情報データを読み取ることなしに、前記データストレージ装置からのみ、色情報データを読み取ることができることを保証するべく十分に大きな距離において、配置されている。例えば、近傍に位置したデータストレージ装置の距離は、データ抽出の最大距離以上であってもよく、これは、ＮＦＣの場合には、数センチメートルに限定されうる。
【００６０】
図３は、本発明の一実施形態による、第１色見本装置１’と、類似した第２色見本装置１’’’と、データ処理装置１０と、を含む、本発明によるシステム１００を示している。データ処理装置１０は、マイクロプロセッサ（図示されてはいない）と、本発明に従って色見本装置のデータストレージ装置から色情報データを読み取るように構成されたデータ通信装置１１と、を有する。データ通信装置１１は、ＮＦＣ読取器であり、これは、この場合には、数センチメートルというデータ抽出の小さな最大距離Ｒを許容している。例えば、Ｒは、５ｃｍ、４ｃｍ、又は３ｃｍ以下であってもよい。最大距離Ｒは、この場合には、ＮＦＣ読取器１１の中心を中心とした円として示されている。第１色見本装置１’は、データ処理装置１０が、ＮＦＣトランスポンダ３’内において保存されている色情報データを自動的に抽出し、且つ、データ処理装置１０のディスプレイ１２上において前記色情報データを即座に表示するように、最大距離Ｒ内において配置されている。特に、データ通信装置のデータ抽出の最大距離内に配置されているデータストレージ装置を自動的に読み取る前記プロセスは、データ処理装置１０のマイクロプロセッサによって実行される適切なプログラムコード、特に、ソフトウェア、を使用することにより、実装されている。最大距離Ｒの外に配置されている第２色見本装置１’’’は、データ処理装置１０によって読み取ることはできない。
【００６１】
図４は、本発明による色見本装置の製造の、本発明の一実施形態による方法２００を示しており、この場合に、方法は、基材要素と、色見本と、色見本の色情報データを含むデータストレージ装置とを提供するステップ（ステップ２０１）と、基材要素、色見本、及びデータストレージ装置を組み立てるステップ（２０２）、特に、好ましくは、接着及び／又はラミネーション及び／又は確動嵌め及び／又は圧力嵌め接続により、基材要素とデータストレージ装置の間において接続を確立するステップ（２０３）と、を有する。
【図１ａ】
2018523818.tif 000003
【図１ｂ−１ｃ】
2018523818.tif 000004
【図２ａ】
2018523818.tif 000005
【図２ｂ】
2018523818.tif 000006
【図３】
2018523818.tif 000007
【図４】
2018523818.tif 000008
【国際調査報告】
2018523818.tif 000009
2018523818.tif 000010